(57)【要約】【課題】  視聴者の理解度が低い内容について説明がなされた教材を、適切に選択することのできる教育システム、およびプログラムを提供する。【解決手段】  本発明の教育システムは、説明内容を示す検索キーが対応付けて格納されている説明モジュールと、複数の説明モジュールを有する教材と、視聴者から、現在説明をされている内容の理解度を取得する理解度入力部と、理解度入力部から入力された理解度を、説明モジュールのいずれかに対応付けて記録する理解度記録部と、理解度記録部に記録された理解度と、当該理解度に対応付けられた説明モジュールに対して更に対応付けられた検索キーを用いて、次の教材を選択する次教材選択部とを備える。【選択図】  図１
2005352361.tif 000002
【特許請求の範囲】
【請求項１】
説明内容を示す検索キーが対応付けて格納されている説明モジュールと、
複数の前記説明モジュールを有する教材と、
視聴者から、現在説明をされている内容の理解度を取得する理解度入力部と、
前記理解度入力部から入力された理解度を、前記説明モジュールのいずれかに対応付けて記録する理解度記録部と、
前記理解度記録部に記録された理解度と、当該理解度に対応付けられた前記説明モジュールに対して更に対応付けられた前記検索キーを用いて、次の前記教材を選択する次教材選択部と
を備える教育システム。
【請求項２】
前記次教材選択部は、前記理解度が所定の値よりも低い説明モジュールを検索し、当該説明モジュールに対応付けられた検索キーを用いて、次の前記教材を選択する請求項１に記載の教育システム。
【請求項３】
前記次教材選択部は、検索対象の教材に含まれる説明モジュール中に、前記検索キーと同一の検索キーがより多く含まれる教材を選択する請求項２に記載の教育システム。
【請求項４】
前記説明モジュールの各々が表示されたときの時刻を記録する再生時刻記録部を更に備え、
前記理解度記録部は、前記理解度入力部から入力された理解度を、入力されたときの時刻に対応付けて記録し、
前記次教材選択部は、理解度が所定の値よりも低かった時刻を前記理解度記録部から検索し、更に、当該時刻に表示されていた前記説明モジュールを、前記再生時刻記録部を用いて検索する請求項３に記載の教育システム。
【請求項５】
前記次教材選択部は、理解度が所定の値よりも低かった時刻を前記理解度記録部から検索し、当該時刻よりも所定の時間だけ前に表示されていた前記説明モジュールを、前記再生時刻記録部を用いて検索する請求項４に記載の教育システム。
【請求項６】
前記次教材選択部は、各前記説明モジュールに対応付けられた前記検索キーの各々によって教材を検索し、検索された教材に当該検索キーの重みを加算し、最も重みが大きくなった教材を次の教材として選択する検索キー重み付け部を有する請求項５に記載の教育システム。
【請求項７】
前記検索キー重み付け部は、各前記説明モジュールの説明期間において、理解度の低さを時間で積分して得られた値に基づいて、当該説明モジュールに対応付けられている検索キーを重み付けする請求項６に記載の教育システム。
【請求項８】
前記検索キー重み付け部は、理解度の低さを時間で積分して得られた値を検索キーの数で除した値で、各検索キーを重み付けする請求項７に記載の教育システム。
【請求項９】
前記説明モジュールは、音声による説明内容を格納している請求項１に記載の教育システム。
【請求項１０】
前記説明モジュールは、更に、ビデオによる説明内容を格納している請求項９に記載の教育システム。
【請求項１１】
前記説明モジュールは、説明者の操作に従って順次再生された１以上のプレゼンテーションソフトウェア画面および当該画面が表示されている時に前記説明者が話した音声である請求項１に記載の教育システム。
【請求項１２】
説明内容を示す検索キーが対応付けて格納されている説明モジュールと、複数の前記説明モジュールを有する教材とを備える教育システムを機能させるプログラムであって、
視聴者から、現在説明をされている内容の理解度を取得する理解度入力手段、
前記理解度入力部から入力された理解度を、前記説明モジュールのいずれかに対応付けて記録する理解度記録手段、
および前記理解度記録手段によって記録された理解度と、当該理解度に対応付けられた前記説明モジュールに対して更に対応付けられた前記検索キーを用いて、次の前記教材を選択する次教材選択手段
として教育システムを機能させるプログラム。
【請求項１３】
前記次教材選択手段は、検索対象の教材に含まれる説明モジュール中に、前記検索キーと同一の検索キーがより多く含まれる教材を選択する請求項１２に記載のプログラム。
【請求項１４】
前記説明モジュールの各々が表示されたときの時刻を記録する再生時刻記録手段として、更に前記教育システムを機能させ、
前記次教材選択手段は、理解度が所定の値よりも低かった時刻を前記理解度記録手段を用いて検索し、更に、当該時刻に表示されていた前記説明モジュールを、前記再生時刻記録手段を用いて検索する請求項１３に記載のプログラム。
【発明の詳細な説明】
【技術分野】
【０００１】
本発明は、視聴者の理解度が低い内容について説明がなされた教材を選択することのできる教育システム、およびプログラムに関する。特に本発明は、視聴者に対してなされた説明に対する視聴者の理解度を把握することにより、視聴者の理解度が低い内容について説明がなされた適切な教材を選択することができる教育システムおよびプログラムに関する。
【背景技術】
【０００２】
従来、視聴者がビデオ教材などを用いてある事柄について学習し、理解をすることができなかった事柄について更に学習をしたいと考えた場合には、ビデオ教材の視聴者は、理解をできなかった内容について、より詳しく説明してある教材を探して、再び視聴する。そして教材を探す場合には、例えば理解をできなかった事柄に関連するキーワードを決めて、そのキーワードが示す内容について説明がなされている教材を選択する。尚、このような内容を示す技術文献を出願人は把握していないが、例えば、教材の題名を格納したデータベースを準備しておき、キーワードを含む題名の教材を検索するシステムが図書館等で用いられている。
【発明の開示】
【発明が解決しようとする課題】
【０００３】
しかしながら、視聴者が、自分が理解をすることができなかった内容が何であるかを、自分で把握することは難しい場合が多いので、理解をすることができなかった内容について適切なキーワードを自ら設定することは困難であった。従って、更に学習をしたいと考える内容が含まれる教材を、適切に検索することは難しかった。
【課題を解決するための手段】
【０００４】
このような課題を解決するために、本発明の第１の形態における教育システムは、説明内容を示す検索キーが対応付けて格納されている説明モジュールと、複数の説明モジュールを有する教材と、視聴者から、現在説明をされている内容の理解度を取得する理解度入力部と、理解度入力部から入力された理解度を、説明モジュールのいずれかに対応付けて記録する理解度記録部と、理解度記録部に記録された理解度と、当該理解度に対応付けられた説明モジュールに対して更に対応付けられた検索キーを用いて、次の教材を選択する次教材選択部とを備えた。このようにそれぞれの説明内容に対する理解度を把握するので、本発明の教育システムは、適切な教材を選択することができる。
【０００５】
次教材選択部は、理解度が所定の値よりも低い説明モジュールを検索し、当該説明モジュールに対応付けられた検索キーを用いて、次の教材を選択してよい。これにより、本発明の教育システムは、理解度の低い内容についての知識を、視聴者に対して補うことができる。
【０００６】
次教材選択部は、検索対象の教材に含まれる説明モジュール中に、検索キーと同一の検索キーがより多く含まれる教材を選択してもよい。これにより、本発明の教育システムは、適切な教材を簡易に検索することができる。
【０００７】
本形態の教育システムは、説明モジュールの各々が表示されたときの時刻を記録する再生時刻記録部を更に備え、理解度記録部は、理解度入力部から入力された理解度を、入力されたときの時刻に対応付けて記録し、次教材選択部は、理解度が所定の値よりも低かった時刻を理解度記録部から検索し、更に、当該時刻に表示されていた説明モジュールを、再生時刻記録部を用いて検索してもよい。これにより、視聴者が一時停止などを行いながら教材を視聴した場合であっても、教材の視聴が終わった後に、記録された時刻の情報を用いて、入力された理解度に対応する説明モジュールを特定することができる。
【０００８】
次教材選択部は、理解度が所定の値よりも低かった時刻を理解度記録部から検索し、当該時刻よりも所定の時間だけ前に表示されていた説明モジュールを、再生時刻記録部を用いて検索してもよい。これにより、理解度の入力が遅れた場合であっても、本発明の教育システムは、その理解度に対応する説明モジュールを検索することができる。
【０００９】
次教材選択部は、各説明モジュールに対応付けられた検索キーの各々によって教材を検索し、検索された教材に当該検索キーの重みを加算し、最も重みが大きくなった教材を次の教材として選択する検索キー重み付け部を有してもよい。これにより、本発明の教育システムは、最も理解の低かった箇所に関連する次の教材を、適切に検索することができる。
【００１０】
検索キー重み付け部は、各説明モジュールの説明期間において、理解度の低さを時間で積分して得られた値に基づいて、当該説明モジュールに対応付けられている検索キーを重み付けしてもよい。これにより、検索キー重み付け部は、各検索キーに対して、理解度の低さを示す重みを適切に与えることができる。そして教育システムは、理解度の低い内容についての知識を含む教材を、適切に検索することができる。
【００１１】
検索キー重み付け部は、理解度の低さを時間で積分して得られた値を検索キーの数で除した値で、各検索キーを重み付けしてもよい。これにより、検索キー重み付け部は、検索キーの数が少ない説明モジュールに対しては、大きな重みを与えることができるので、教育システムは、理解度の低い内容についての知識を含む教材を、適切に検索することができる。
【００１２】
説明モジュールは、音声による説明内容を格納してもよい。この場合、説明モジュールは、更に、ビデオによる説明内容を格納してもよい。これにより、本発明の教育システムでは、既存のビデオを利用することができる。或いは、説明モジュールは、説明者の操作に従って順次再生された１以上のプレゼンテーションソフトウェア画面および当該画面が表示されている時に説明者が話した音声であってもよい。
【００１３】
本発明の第２の形態は、説明内容を示す検索キーが対応付けて格納されている説明モジュールと、複数の説明モジュールを有する教材とを備える教育システムを機能させるプログラムであって、視聴者から、現在説明をされている内容の理解度を取得する理解度入力手段、理解度入力手段から入力された理解度を、説明モジュールのいずれかに対応付けて記録する理解度記録手段、および理解度記録手段に記録された理解度と、当該理解度に対応付けられた説明モジュールに対して更に対応付けられた検索キーを用いて、次の教材を選択する次教材選択手段として教育システムを機能させる。
【００１４】
次教材選択手段は、検索対象の教材に含まれる説明モジュール中に、検索キーと同一の検索キーがより多く含まれる教材を選択してもよい。
【００１５】
説明モジュールの各々が表示されたときの時刻を記録する再生時刻記録手段として、更に教育システムを機能させ、次教材選択手段は、理解度が所定の値よりも低かった時刻を理解度記録手段を用いて検索し、更に、当該時刻に表示されていた説明モジュールを、再生時刻記録手段を用いて検索してもよい。
【００１６】
なお上記の発明の概要は、本発明の必要な特徴の全てを列挙したものではなく、これらの特徴群のサブコンビネーションも又発明となりうる。
【発明を実施するための最良の形態】
【００１７】
以下、発明の実施の形態を通じて本発明を説明するが、以下の実施形態は特許請求にかかる発明を限定するものではなく、又実施形態の中で説明されている特徴の組み合わせの全てが発明の開発手段に必須であるとは限らない。
【００１８】
図１は、本実施形態における教育システム１００の構成を示す。本実施形態の教育システム１００は、理解度入力部５０、教材データベース６２、表示部６６、スピーカー６８、コンピュータ７０、および記録媒体８０を備える。コンピュータ７０は、理解度入力部５０、表示部６６、スピーカー６８、および教材データベース６２と電気的に接続される。
【００１９】
ここで従来、視聴者がビデオ教材などを用いてある事柄について学習し、理解をすることができなかった事柄について更に学習をしたいと考えた場合には、ビデオ教材の視聴者は、理解をできなかった内容について、より詳しく説明してある教材を探して、再び視聴する。そして教材を探す場合には、例えば理解をできなかった事柄に関連するキーワードを決めて、そのキーワードが示す内容について説明がなされている教材を選択する。しかしながら、視聴者が、自分が理解をすることができなかった内容が何であるかを、自分で把握することは難しい場合が多いので、理解をすることができなかった内容について適切なキーワードを自ら設定することは困難であった。そこで本発明では、このような課題を解決する教育システム１００を提供することを目的とする。
【００２０】
教材データベース６２は、複数の教材を格納しており、教材は、複数の説明モジュールを有する。説明モジュールとは、例えば説明内容を説明する音声および画像であって、説明モジュールには、説明内容を示す検索キーが対応づけて格納される。本例の説明モジュールは、例えば説明者の操作に従って順次再生された一以上のプレゼンテーションソフトウェア画面および当該画面が表示されている時に説明者が話した音声である。ここで、プレゼンテーションソフトウェアの一例は、パワーポイント（登録商標）であり、この場合の説明モジュールは、パワーポイント（登録商標）で表示される各フレームおよび、各フレームが表示されている時に説明者が話した音声である。尚、説明モジュールの作成方法としては、同じ内容について説明された複数のフレームおよび、複数のフレームが表示されている場合に説明者が話した音声を、一つの説明モジュールとして作成してもよい。
【００２１】
また、検索キーとは、説明内容に関連するキーワードであって、例えば教育システム１００の管理者や、教材の作成者により予め定められる。そして、検索キーとして、少なくとも１つ以上のキーワードが、１つの説明モジュールに対応づけられる。本例において、検索キーは、説明モジュールの音声および画像を示す電子データに対応づけて、教材データベース６２に格納される。
【００２２】
コンピュータ７０は、理解度記録部５２、再生時刻記録部５４、時刻取得部５６、再生部６４、および次教材選択部５８を有する。教育システム１００を利用する視聴者は、コンピュータ７０を操作して、視聴をしたい教材を選択する。再生部６４は、視聴者に選択された教材を教材データベース６２から読み出して、各説明モジュールの映像を再生して表示部６６に表示させると共に、各説明モジュールに対応する音声を、スピーカー６８を用いて再生させる。
【００２３】
すると視聴者は、表示部６６およびスピーカー６８に再生された説明を視聴しながら、理解度入力部５０を操作する。これにより理解度入力部５０は、視聴者から、現在説明をされている内容の理解度を取得する。本例の理解度入力部５０は、視聴者の理解の程度に応じた理解度を、視聴者より取得する。例えば、理解度入力部５０は、理解度の程度に応じて予め定められたボタンを有しており、視聴者によってボタンが押下されることにより、理解度入力部５０は理解度を取得する。理解度記録部５２は、理解度入力部５０から入力された理解度を、説明モジュールのいずれかに対応付けて記録する。
【００２４】
時刻取得部５６は時刻を計時し、計時した時刻を理解度記録部５２、再生時刻記録部５４、および再生部６４へ与える。再生時刻記録部５４は、説明モジュールの各々が表示されたときの時刻を記録する。本例の再生時刻記録部５４は、説明モジュールの各々が表示されたときの時刻として、説明モジュールの表示が開始された時刻、および説明モジュールの表示が終了した時刻のそれぞれを記録する。
【００２５】
理解度記録部５２は、理解度入力部５０から入力された理解度を、理解度が入力されたときの時刻に対応付けて格納する。ここで、理解度記録部５２は、理解度入力部５０から入力された理解度を、その理解度の入力が開始された時刻、および終了した時刻のそれぞれに対応づけて記録する。
【００２６】
次教材選択部５８は、理解度記録部５２に記録された理解度と、理解度に対応付けられた説明モジュールに対して更に対応付けられた検索キーを用いて、次の教材を教材データベース６２から選択する。このように、それぞれの説明内容に対する理解度を把握することによって、本発明の教育システム１００は、適切な教材を選択することができる。また、本例の次教材選択部５８は、理解度が所定の値よりも低い説明モジュールを検索し、この説明モジュールに対応付けられた検索キーを用いて、次の教材を教材データベース６２から選択する。これにより、理解度の低い内容についての知識を、視聴者に対して補うことができる。更に、本例の次教材選択部５８は、理解度が所定の値よりも低かった時刻を理解度記録部５２から検索し、更に、その時刻に表示されていた説明モジュールを、再生時刻記録部５４を用いて検索する。これにより、視聴者が一時停止などを行いながら教材を視聴した場合であっても、教材の視聴が終わった後に、記録された時刻の情報を用いて、入力された理解度に対応する説明モジュールを特定することができる。
【００２７】
ここで、次教材選択部５８は、検索キー重み付け部６０を有する。そして、次の教材を教材データベース６２から選択する場合、検索キー重み付け部６０は、各説明モジュールに対応付けられた検索キーの各々によって教材を、教材データベース６２から検索する。本例の検索キー重み付け部６０は、検索された教材にこれらの検索キーの重みを加算し、最も重みが大きくなった教材を次の教材として、教材データベース６２から選択する。これにより、次教材選択部５８は、最も理解の低かった箇所に関連する次の教材を適切に検索することができる。尚、検索キー重み付け部６０の動作の詳細は後述する。
【００２８】
このように、本発明によれば、次教材選択部５８は、理解度記録部５２に記録された理解度と、この理解度に対応づけられた説明モジュールに対して更に対応付けられた検索キーを用いて、次の教材を選択するので、それぞれの説明内容に対する理解度を把握した上で、適切な教材を選択することができる。また、理解度が所定の値よりも低い説明モジュールに対応づけられた検索キーを用いて、次の教材を選択するので、理解度の低い内容についての知識を補うことができる。そして、次教材選択部５８は、理解度が所定の値よりも低かった時刻を理解度記録部５２から検索し、更に、この時刻に表示されていた説明モジュールを、再生時刻記録部５４を用いて検索するので、視聴者が一時停止などを行いながら教材を視聴した場合であっても、教材の視聴が終わった後に、記録された時刻の情報を用いて、入力された理解度に対応する説明モジュールを特定することができる。
【００２９】
記録媒体８０は、教育システム１００にインストールされて実行されるプログラムとして、理解度入力手段、理解度記録手段、再生時刻記録手段、および次教材選択部手段を格納する。記録媒体８０に格納されるそれぞれの手段は、対応する各部材を機能させる。尚、記録媒体８０が格納する各手段が機能させる内容は、本図において説明した各部材の動作と同一であるから説明を省略する。ここで、記録媒体８０は、例えばＤＶＤ、ＰＤ等の光学記録媒体、ＭＤ等の光磁気記録媒体、テープ媒体、磁気記録媒体、または半導体記録装置等であってよい。
【００３０】
また、本例において、説明モジュールの説明内容を示す電子データは、次の教材を選択するための教材データベース６２に格納されたが、他の例においては、例えば、フレキシブルディスク、ＣＤ−ＲＯＭ、ＤＶＤ−ＲＯＭ等の、教材データベース６２とは異なる記録媒体に記録されてもよい。この場合、教材データベース６２は、説明内容を示す音声や画像の電子データに代えて、説明モジュールの名称や、説明モジュールのデータの所在を示すインデックス等を格納しており、そしてまた、検索キーは、説明モジュールの名称や説明モジュールのデータの所在を示すインデックス等に対応づけて格納される。この場合、検索キーは、説明内容を示す電子データが格納された記録媒体に格納されてもよいし、上記の電子データが格納された記録媒体とは更に異なる記録媒体に格納されてもよい。そして、視聴者は、電子データおよび検索キーのそれぞれが格納された記録媒体を、教育システム１００が備えるコンピュータ７０へ読み込ませる。これにより、視聴者が視聴したいと望む教材に含まれる検索キーを、コンピュータ７０が取得することができるので、本発明の教育システム１００は、取得した検索キーを用いて次の教材を、教材データベース６２から適切に選択することができる。
【００３１】
また、更に他の例において、教材とは、ビデオ教材であってもよい。この場合、説明モジュールは、ビデオ教材における一部の範囲のビデオストリームである。ここで、説明モジュールの作成方法としては、同じ内容について説明がなされたビデオストリームの部分を、１つの説明モジュールとして作成してもよい。この場合の検索キーは、説明モジュールと間接的に対応づけられる。例えば、教材がビデオテープに録画されている場合、ビデオテープに含まれる各説明モジュールの名称は、例えば教育システム１００の管理者によって予め定められ、検索キーは、説明内容が録画されているビデオテープとは異なる記録媒体に、説明モジュールの名称に対応づけて予め格納される。これにより、本発明の教育システム１００は、既存のビデオ教材を利用することができる。尚、ビデオ教材がＣＤ−ＲＯＭやＤＶＤ−ＲＯＭ等に録画されている場合、検索キーは、これらの記録媒体の内部に、各説明モジュールのインデックスと対応づけて格納されてもよい。この場合、検索キーと説明モジュールのインデックスは、説明内容が記録されている記録領域とは異なる記録領域に予め格納される。この場合、説明モジュールのインデックスは、記録媒体における説明モジュールのトラック番号であってよい。
【００３２】
尚、更なる他の例において、説明モジュールは、スライドや、ＯＨＰ（オーバーヘッド・プロジェクター）フィルムであってもよい。この場合においても、１つの説明モジュールは、複数のスライド、或いはＯＨＰシートであってよい。そして、各スライド、または各ＯＨＰシートの説明モジュールの名称を予め定め、各説明モジュールに対応づけて、検索キーを格納したファイルを作成することにより、本発明の教育システム１００は、スライドやＯＨＰシートを利用することができる。
【００３３】
図２は、教育システム１００の動作の一例を示すフローチャートである。再生部６４は、教材を教材データベース６２から読み出し、表示部６６は、教材に含まれる各説明モジュールの説明内容を示す映像を視聴者へ表示する（Ｓ１００）。この場合、再生部６４は、説明内容を示す音声を、スピーカー６８に再生させる。そして再生時刻記録部５４は、説明モジュールの各々が表示されたときの表示時刻を記録する（Ｓ１０５）。
【００３４】
そして、再生が行われている間、理解度入力部５０は、現在説明をされている内容の理解度を、視聴者から取得する。すると、理解度記録部５２は、理解度入力部５０から入力された理解度を、説明モジュールのいずれかに対応付けて記録する。本例の理解度記録部５２は、理解度入力部５０から入力された理解度を、入力されたときの時刻に対応付けて記録する（Ｓ１１０）。
【００３５】
ここで、全ての説明モジュールの説明が終了しない場合（Ｓ１１５：ＮＯ）、本フローチャートは、再びステップＳ１００へ進み、再生部６４は、次の説明モジュールを再生する。そして、理解度記録部５２は、表示部６６に表示された内容についての理解度を取得する。全ての説明モジュールの説明が終了すると（Ｓ１１５：ＹＥＳ）、本フローチャートは、ステップＳ１２０へ進む。
【００３６】
次に、次教材選択部５８は、理解度が所定の値よりも低い説明モジュールを検索し、この説明モジュールに対応づけられた検索キーを特定する（Ｓ１２０）。この場合、次教材選択部５８は、理解度が所定の値よりも低い時刻を理解度記録部５２から検索し、この時刻に表示されていた説明モジュールを、再生時刻記録部５４から検索する。そして、次教材選択部５８は、検索キーを用いて次の教材を選択する（Ｓ１２５）。
【００３７】
次の教材が選択されると、教育システム１００は、選択された次の教材を視聴者へ表示する。これにより視聴者は、理解度の低い内容についての知識を補うことができる。
【００３８】
図３は、教材データベース６２が格納するデータの一例を示す。教材データベース６２は、教材に対応づけて、教材に含まれる各説明モジュールを格納する。また、教材データベース６２は、各説明モジュールに対応づけて、各説明モジュールに含まれる検索キーを格納している。
【００３９】
本例の説明モジュールは、パワーポイント（登録商標）の各フレームを示す画像および各フレームが説明者に説明された時の音声であり、教材データベース６２は、教材の名称、および説明モジュールのインデックスに対応づけて、各説明モジュールの検索キーを格納している。本例において、説明モジュールのインデックスは、フレームのページ数である。このように、本例の説明モジュールは、パワーポイント（登録商標）の各フレームを含むので、教育システム１００の管理者は、各フレームに含まれる語句を検索キーとして利用することにより、検索キーを容易に作成することができる。この場合、検索キーは、例えば各フレームに付けられた表題から自動的に生成してもよい。教材データベース６２は、各説明モジュールに対応づけて、各説明モジュールの説明に必要な時間である再生時間を予め格納している。
【００４０】
図４は、理解度記録部５２が格納するデータの一例を示す。本例の理解度記録部５２は、理解度の入力が開始された時刻、および理解度の入力が終了した時刻のそれぞれを、理解度を取得した時刻として記録する。
【００４１】
ここで理解度記録部５２は、理解度入力部５０によって入力された、理解度の低さを示す値を格納する。本例の理解度入力部５０は、例えば、理解度に応じた２つのボタンを有する。そして、現在説明されている内容についてあまり理解できない場合には、視聴者は、あまり理解できない旨を示すボタンを押下し、理解度入力部５０は、視聴者があまり理解できない旨を示す理解度を取得する。同様にして、説明されている内容について全く理解できない場合には、視聴者が全く理解できない旨を示すボタンを押下することで、理解度入力部５０は、全く理解できない旨を示す理解度を取得する。このようにして取得された理解度を、理解度記録部５２は、理解度が入力された時刻に対応づけて格納する。
【００４２】
尚、本例の理解度記録部５２は、理解度が低いほど、大きな値を格納する。例えば、あまり理解できない場合の理解度はＢで示され、この理解度の低さを示す値として“０．５”が格納され、全く理解できない場合の理解度はＣで示され、この理解度の低さを示す値として“１．０”が格納されている。本実施形態においては、理解できた場合の理解度の低さは“０”で示される。尚、本例では、理解したと判断された理解度を格納していないが、他の例においては、この理解度の低さを示す値を格納してもよい。
【００４３】
図５は、再生時刻記録部５４が格納するデータの一例を示す。再生時刻記録部５４は、説明モジュールの各々が表示されたときの時刻を、教材の名称に対応づけて記録する。ここで再生時刻記録部５４は、説明モジュールの説明が開始および終了した時刻のそれぞれを、説明モジュールの名称に対応づけて記録する。このように再生時刻記録部５４が説明モジュールの開示時刻と終了時刻を記録するので、視聴者が一時停止などを行いながら教材を視聴した場合であっても、教材の視聴が終わった後に、記録された時刻の情報を用いて、入力された理解度に対応する説明モジュールを特定することができる。
【００４４】
図６は、ステップＳ１２０の詳細な動作の一例を示すフローチャートである。教材の表示が終了すると、次教材選択部５８は、理解度記録部５２（図４参照）を参照する。ここで、理解度記録部５２に格納された理解度が、予め定められた理解度よりも低い場合（Ｓ２００：ＹＥＳ）、次教材選択部５８は、理解度が低い説明モジュールを検索する（Ｓ２０５）。ここで、次教材選択部５８は、理解度記録部５２において予め定められた理解度よりも低い理解度が記録された時刻を参照し、次に、再生時刻記録部５４において、予め定められた理解度よりも低い理解度が入力された時刻を含む説明モジュールを検索することにより、理解度が低い説明モジュールを選択する。そして、次教材選択部５８は、教材データベース６２（図３参照）を参照して、理解度が低い説明モジュールに含まれる検索キーを特定する（Ｓ２１０）。
【００４５】
ここで、図７は、理解度の低さを説明する図である。図７（ａ）は、理解度の低さと、説明モジュールが表示された時間との関係を示す。本例において、時間５００、５０２、および５０４のそれぞれは、説明モジュール１、２、および３が再生表示された期間を示す。尚、本図の例では、各説明モジュールは、説明モジュールの名称に代えて、インデックス番号を格納している。
【００４６】
本発明の視聴者は、自分が理解できないと思った箇所で理解度を入力する。従って、入力された理解度と、その理解度が入力された長さは、説明された内容に対する、視聴者の理解の程度を定量的に示していると考えられる。即ち、理解度の低さと、理解度が入力された時間とで囲まれた面積は、視聴者の理解度の低さの程度を示しており、この理解度の低さと、理解度が入力された時間とで囲まれた面積が大きいほど、視聴者は、その説明内容を理解できていないとみなすことができる。そして、理解度が入力された時間と、理解度の低さとで囲まれた面積は、理解度の低さを時間で積分した値に等しい。本図の例では、理解度の低さと時間とで囲まれた領域５０６〜５１０を、斜線で図示している。
【００４７】
そこで、本発明の検索キー重み付け部６０は、説明モジュール毎に、理解度の低さを経過時間で積分し（Ｓ２１５）、積分値を算出する。これにより、各説明モジュールに対して、その説明を視聴した視聴者の理解度を示す値を取得する。
【００４８】
検索キーを用いて次の教材を検索する場合、視聴者の理解度がより低い検索キーに関して説明が多くなされている教材を選択できることが望ましい。そこで本発明では、検索キーへ重み付けを行う。１つの説明モジュールは、様々な個数の検索キーを含む場合があるので、本例の検索キー重み付け部６０は、理解度の低さを時間で積分して得られた値を検索キーの数で除した値で、各検索キーを重み付けする。本例では、積分して得られた値を、検索キー毎に加算することにより、各検索キーの重み付けを行う（Ｓ２２０）。
【００４９】
図７（ｂ）は、重み付けされた検索キーの一例を示す。まず、説明モジュール１において、理解度の低さを、時間５００で積分した値を求める。この場合、理解度の低さ“１．０”に、その理解度が入力されていた時間“６０秒”を乗じることにより、理解度の低さを時間で積分した値“６０”を得る。この場合、説明モジュール１は検索キーとして“Ａ”だけを含むので、理解度の低さを時間で積分した値“６０”を１で除した値を得る。同様にして、説明モジュール２においては、理解度の低さ“０．５”に、その理解度が入力されていた時間“１４０秒”を乗じることにより、理解度の低さを時間で積分した値“７０”が得られる。ここで、説明モジュール２には、検索キーＢおよびＣが含まれるので、理解度の低さを時間で積分した値を、検索キーの個数“２”で除すると、検索キーＢ，およびＣのそれぞれについて、検索キーの重みを示す値 “３５”が得られる。このようにして、各説明モジュールについて、各検索キーの重みを算出する。
【００５０】
そして、理解度の低い全ての説明モジュールについて重みの算出が終わっていない場合には（Ｓ２２５：ＮＯ）、ステップＳ２００へ進み、上記の処理を繰り返す。理解度の低い全ての説明モジュールについて重みの算出が終了すると（Ｓ２２５：ＹＥＳ）、検索キー重み付け部６０は、各説明モジュールに対応付けられた検索キーの各々によって教材を検索し、検索された教材に検索キーの重みを加算する（Ｓ２３０）。これにより、図７（ｂ）に示すように、各検索キーの重みが算出される。このようにして、本発明の検索キー重み付け部６０は、各説明モジュールの説明期間において、理解度の低さを時間で積分して得られた値に基づいて、説明モジュールに対応付けられている検索キーを重み付けすることができる。
【００５１】
図８は、ステップＳ１２５の詳細な動作の一例を示すフローチャートである。各検索キーの重み付けが算出されると、次に、検索キー重み付け部６０は、検索キーを含む教材を選択する（Ｓ３００）。この場合、検索キー重み付け部６０は、教材データベース６２（図３参照）における説明モジュールに対応する検索キーを特定することにより、教材を選択する。図９に、選択された教材の一例を示す。
【００５２】
ここで、検索キー重み付け部６０は、各検索キーと同一の検索キーがより多く含まれる教材を選択する。更に、検索キー重み付け部６０は、各検索キーの個数に、検索キーの重みを加算することにより、各教材の重みの総和を算出する（Ｓ３０５）。そして、最も重みが大きくなった教材を次の教材として選択する（Ｓ３１０）。尚、本例においては、検索キー重み付け部６０は、教材が有する説明モジュールにおいて、選択された検索キーを含む説明モジュールの説明の比率が相対的に大きい教材を選択する。
【００５３】
具体的には、検索キー重み付け部６０は、教材データベース６２を参照して、教材の説明に要する再生時間の合計と、その教材に含まれる各説明モジュールの説明に要する再生時間を算出する。そして、検索キー重み付け部６０は、説明モジュール毎に、説明モジュールの再生時間を各説明モジュールの再生時間の合計で除した値に、先に算出した検索キーの重みを乗じ、更に、説明モジュールに含まれる個数で除した値を算出する。上記の計算を、説明モジュール毎に行って得られた値を合計することにより、次教材選択部５８は、選択された検索キーを含む説明モジュールの説明の比率が相対的に大きい教材を、選択する。
【００５４】
例えば、図９の示す“○○のすべて”という名称の教材は、合計の再生時間が２０分であり、説明モジュール２の再生時間は５分である。そして説明モジュール２は、検索キーＡ，Ｂ、Ｃが含まれる。従って、説明モジュール２については、６０（検索キーＡの重み）×５分（説明モジュール２の再生時間）／２０分（全体の説明時間）×１／３（検索キーの個数）＋１２５（検索キーＢの重み）×５分（説明モジュール２の再生時間）／２０分（全体の説明時間）×１／３（検索キーの個数）＋１２５（検索キーＣの重み）×５分（説明モジュール２の再生時間）／２０分（全体の説明時間）×１／３（検索キーの個数）という計算を行い、値“２５．８”を得る。説明モジュール１、３および４についても同様の計算を行い、合計値を求めると、重みの総和として“８１．７”を得る。一方、“よくわかる△△”という名称の教材は、検索キーＡ〜Ｄを含んでいるが、他の検索キーＦ〜Ｌも含んでいる。この教材についても同様の計算を行うと、重みの総和として“２８．０”を得る。これらの計算の結果、最も重みの大きい教材として、“○○のすべて”が選択される。このように、検索キーが含まれる説明説明モジュールの説明の比率が大きい教材を選択するので、本発明の教育システム１００は、無駄な説明の少ない教材を視聴者へ提供することができる。
【００５５】
先に、図７（ａ）を用いて、理解度の低さと説明モジュールが表示された時間との関係を説明したが、視聴者が理解度を入力する場合には、説明モジュールが再生表示されている時刻内に収まるようには、理解度が入力されない場合がある。例えば、理解度の入力には遅れが生じる場合がある。そこで、次教材選択部５８は、理解度が所定の値よりも低い時刻を理解度記録部５２から検索し、この時刻よりも所定の時間だけ前に表示されていた説明モジュールを、再生時刻記録部５４を用いて検索する。以下、所定の時間の算出方法について述べる。
【００５６】
図１０は、理解度の入力の遅れを説明する図である。本例において、斜線で示された領域６５２〜６６２、及び領域６６４〜６７２の面積は、理解度の低さを時間で積分した値に相当する。図１０（ａ）は、理解度の入力の遅れの一例を示す。本図の例において、各モジュールが説明された時間６００〜６０６に対して、それぞれの理解度は遅れて入力されている。この場合、理解度の低さを時間で積分した値は、理解度が入力されたタイミングによって変化する。例えば、本図の例において、説明モジュール１が説明された時間６００において理解度の低さを時間で積分した値は、領域６５２の面積を示す値となり、説明モジュール２が説明された時間６０２において理解度の低さを時間で積分した値は、領域６５４および領域６５６の面積の合計値となる。
【００５７】
ここで、理解度の入力の遅れは、詳細に考えてから理解度を入力する視聴者や、わからないと感じたらすぐに理解度を入力する視聴者など、様々な視聴者が存在することが原因であると考えられる。即ち、視聴者が理解度を入力するタイミングの遅れには、個人差が存在する。しかしながら、理解度の入力するタイミングが遅れた場合であっても、視聴者の理解度がより低い検索キーの重みは、他の検索キーに比べてより大きくなると考えられる。
【００５８】
そこで本例の次教材選択部５８は、次の教材を検索する場合に、理解度が入力されたタイミングを、入力されたタイミングよりも前にずらしながら各説明モジュールの理解度の低さを時間で積分した値を算出して、更に各検索キーの重みの合計を算出する。そして、次教材選択部５８は、重み付けされた検索キーの値が、ある検索キーにおいて最も偏るようにずらした時間を、所定の時間として定める。この場合、最も重みが偏った検索キーとは、視聴者が最も理解できなかった検索キーを示していると考えられる。これにより、理解度を入力するタイミングに個人差が生じた場合であっても、視聴者にとって最も理解ができなかった検索キーの重みが最大になるように、所定の時間を定めることができる。
【００５９】
図１０（ｂ）に、理解度が入力されたタイミングをずらした場合の一例を示す。例えば、本図の例において、時間Δｔだけタイミングをずらすと、時間６００において理解度の低さを時間で積分した値は、領域６６４の面積で示される値となり、時間６０２において理解度の低さを時間で積分した値は、領域６６６の面積で示される値となる。このようにして、時間Δｔだけタイミングをずらした場合において、次教材選択部５８は、各説明モジュールについて、理解度を時間で積分した値を算出する。そして、次教材選択部５８は、各説明モジュールに含まれる各検索キーの重みの合計値する。この場合、次教材選択部５８は、所定の検索キーの合計値が最大となるようにずらした時間を、所定の時間として定める。これにより、本発明の教育システム１００では、理解度の入力が遅れた場合であっても、その理解度に対応する説明モジュールを検索することができる。
【００６０】
以上、本発明を実施の形態を用いて説明したが、本発明の技術的範囲は上記実施の形態に記載の範囲には限定されない。上記実施形態に、多様な変更又は改良を加えることができることが当業者に明らかである。その様な変更又は改良を加えた形態も本発明の技術的範囲に含まれることが、特許請求の範囲の記載から明らかである。
【図面の簡単な説明】
【００６１】
【図１】本実施形態における教育システム１００の構成を示す。
【図２】教育システム１００の動作の一例を示すフローチャートである。
【図３】教材データベース６２が格納するデータの一例を示す。
【図４】理解度記録部５２が格納するデータの一例を示す。
【図５】再生時刻記録部５４が格納するデータの一例を示す。
【図６】ステップＳ１２０の詳細な動作の一例を示すフローチャートである。
【図７】理解度の低さを説明する図である。（ａ）は、理解度の低さと、説明モジュールが表示された時間との関係を示す。（ｂ）は、重み付けがなされた検索キーに重み付けの結果の一例を示す。
【図８】ステップＳ１２５の詳細な動作の一例を示すフローチャートである。
【図９】選択された教材の一例を示す。
【図１０】理解度の入力の遅れを説明する図である。（ａ）は、理解度の入力の遅れの一例を示す図である。（ｂ）は、理解度が入力されたタイミングをずらした場合の一例を示す図である。
【符号の説明】
【００６２】
５０・・・理解度入力部、５２・・・理解度記録部、５４・・・再生時刻記録部、５６・・・時刻取得部、５８・・・次教材選択部、６０・・・検索キー重み付け部、６２・・・教材データベース、６４・・・再生部、６６・・・表示部、６８・・・スピーカー、７０・・・コンピュータ、８０・・・記録媒体、１００・・・教育システム
【図１】
2005352361.tif 000003
【図２】
2005352361.tif 000004
【図３】
2005352361.tif 000005
【図４】
2005352361.tif 000006
【図５】
2005352361.tif 000007
【図６】
2005352361.tif 000008
【図７】
2005352361.tif 000009
【図８】
2005352361.tif 000010
【図９】
2005352361.tif 000011
【図１０】
2005352361.tif 000012